(57)【要約】      （修正有）【課題】２管式の空気調和装置と３管式の空気調和装置では室外機の構造が異なる。従って、従来の３管式の空気調和装置用の室外機は２管式の空気調和装置に使用できないという問題があった。そこで、２管式の空気調和装置の室外機として使用できる、３管式の空気調和装置の室外機を提供する。【解決手段】圧縮機２１と、室外熱交換器２３と、第１流路切換手段と、室外機高圧ガス管４１ａと、室外機低圧ガス管４２ａと、室外機液管４４を有する室外機２と、室外機２に液管８とガス管９とで接続される室内機５ａ〜５ｄを備えた空気調和装置１において、室外機２は、ガス管９に冷媒配管を介して接続される第２流路切換手段を備え、吐出配管４１と、第２流路切換手段が室外機高圧ガス管４１ａで接続され、吸入配管４２と、第２流路切換手段が室外機低圧ガス管４２ａで接続される。【選択図】図１
2016056992.tif 000002
【特許請求の範囲】
【請求項１】
圧縮機と、室外熱交換器と、第１流路切換手段と、室外機高圧ガス管と、室外機低圧ガス管と、室外機液管とを有する室外機と、
前記室外機に液管とガス管とで接続される室内機とを備え、
前記室外熱交換器は、一方の冷媒出入口が前記第１流路切換手段に冷媒配管で接続され、他方の冷媒出入口が前記液管に前記室外機液管で接続され、
前記圧縮機の冷媒吐出側と、前記第１流路切換手段とが吐出配管で接続され、
前記圧縮機の冷媒吸入側と、前記第１流路切換手段とが吸入配管で接続された空気調和装置において、
前記室外機は、前記ガス管に冷媒配管を介して接続される第２流路切換手段を備え、
前記吐出配管と、前記第２流路切換手段とが前記室外機高圧ガス管で接続され、
前記吸入配管と、前記第２流路切換手段とが前記室外機低圧ガス管で接続されることを特徴とする空気調和装置。
【請求項２】
請求項１に記載の空気調和装置において、
前記第１流路切換手段が、前記室外熱交換器を流れる冷媒の向きを切り換える時、
前記第２流路切換手段も切り換えることを特徴とする空気調和装置。
【発明の詳細な説明】
【技術分野】
【０００１】
本発明は、室外機と室内機が冷媒配管で接続された空気調和装置に関する。
【背景技術】
【０００２】
従来、少なくとも１台の室外機と複数の室内機が冷媒配管で接続された多室型空気調和装置がある。この多室型空気調和装置には、例えば、特許文献１に示すような全ての室内機を冷房運転または暖房運転とする空気調和装置と、例えば、特許文献２に示すような室内機毎に冷房運転と暖房運転を選択して行える、所謂冷暖房フリー運転を行うことが出来る空気調和装置が知られている。
【０００３】
特許文献１に記載の空気調和装置では、複数の室外機と複数の室内機が液管とガス管によって相互に接続され、全ての室内で冷房運転あるいは暖房運転のうちいずれか一方を行う。一方、特許文献２に記載の空気調和装置では、室外機と、複数の室内機と、室内機と同数の分岐ユニットが液管と高圧ガス管と低圧ガス管によって相互に接続され、室内機毎に冷房運転と暖房運転を選択することができる。なお、以下の説明では、室外機と室内機を接続する冷媒配管が液管とガス管であるものを２管式の空気調和装置と称し、室外機と室内機を接続する冷媒配管が液管と高圧ガス管と低圧ガス管であるものを３管式の空気調和装置と称する。
【先行技術文献】
【特許文献】
【０００４】
【特許文献１】特許５４６３９９５号公報
【特許文献２】特許２８０４５２７号公報
【発明の概要】
【発明が解決しようとする課題】
【０００５】
ところで、２管式の空気調和装置と３管式の空気調和装置では室外機の構造が異なる。具体的には、２管式の空気調和装置では、室外機と室内機を接続する冷媒配管が液管とガス管の２本であるため、室外機内には液管とガス管の各々に接続される冷媒配管が備えられている。一方、３管式の空気調和装置では、室外機と室内機と分岐ユニットを相互に接続する冷媒配管が液管と高圧ガス管と低圧ガス管の３本であるため、室外機内には液管と高圧ガス管と低圧ガス管の各々に接続される冷媒配管が備えられている。従って、従来の３管式の空気調和装置用の室外機は２管式の空気調和装置に使用できないという問題があった。
【０００６】
そこで、本発明は、３管式の空気調和装置の室外機を２管式の空気調和装置の室外機として使用できるようにすることを目的とする。
【課題を解決するための手段】
【０００７】
上記の課題を解決するために、本発明の空気調和装置は、圧縮機と、室外熱交換器と、第１流路切換手段と、室外機高圧ガス管と、室外機低圧ガス管と、室外機液管とを有する室外機と、室外機に液管とガス管とで接続される室内機とを備え、室外熱交換器は、一方の冷媒出入口が第１流路切換手段に冷媒配管で接続され、他方の冷媒出入口が液管に室外機液管で接続され、圧縮機の冷媒吐出側と、第１流路切換手段とが吐出配管で接続され、圧縮機の冷媒吸入側と、第１流路切換手段とが吸入配管で接続された空気調和装置において、室外機は、ガス管に冷媒配管を介して接続される第２流路切換手段を備え、吐出配管と、第２流路切換手段とが室外機高圧ガス管で接続され、吸入配管と、第２流路切換手段とが室外機低圧ガス管で接続される。
【０００８】
また、第１流路切換手段が、室外熱交換器を流れる冷媒の向きを切り換える時、第２流路切換手段も切り換える。
【発明の効果】
【０００９】
上記のように構成した本発明の空気調和装置によれば、高圧ガス管と低圧ガス管と液管を有する３管式の空気調和装置の室外機を、２管式の空気調和装置の室外機として使用することができる。
【図面の簡単な説明】
【００１０】
【図１】本発明の実施形態における、冷房運転を行うときの空気調和装置の冷媒回路図である。
【図２】本発明の実施形態における、暖房運転を行うときの空気調和装置の冷媒回路図である。
【発明を実施するための形態】
【００１１】
以下、本発明の実施の形態を、添付図面に基づいて詳細に説明する。実施形態としては、高圧ガス管と低圧ガス管と液管を有する３管式の空気調和装置で使用される１台の室外機に４台の室内機が液管とガス管の２本の冷媒配管で並列に接続され、全ての室内機を冷房運転あるいは暖房運転とする空気調和装置を例に挙げて説明する。尚、本発明は以下の実施形態に限定されることはなく、本発明の主旨を逸脱しない範囲で種々変形することが可能である。
【００１２】
図１および図２に示すように、本発明の実施形態における空気調和装置１は、屋外に設置される１台の室外機２と、屋内に設置され、室外機２に液管８およびガス管９で並列に接続された４台の室内機５ａ〜５ｄを備えている。詳細には、液管８は、一端が室外機２の閉鎖弁２５に、他端が分岐して室内機５ａ〜５ｄの各液管接続部５３ａ〜５３ｄにそれぞれ接続されている。また、ガス管９は、一端が室外機２の閉鎖弁２６に、他端が分岐して室内機５ａ〜５ｄの各ガス管接続部５４ａ〜５４ｄにそれぞれ接続されている。以上により、空気調和装置１の冷媒回路１００が構成されている。
【００１３】
まずは、室外機２について説明する。室外機２は、圧縮機２１と、第１流路切換手段である第１四方弁２２ａと、第２流路切換手段である第２四方弁２２ｂと、室外熱交換器２３と、室外膨張弁２４と、液管８の一端が接続される閉鎖弁２５と、ガス管９の一端が接続される閉鎖弁２６と、室外ファン２７を備えている。そして、室外ファン２７を除くこれら各装置が以下で詳述する各冷媒配管で相互に接続されて、冷媒回路１００の一部をなす室外機冷媒回路２０を構成している。
【００１４】
圧縮機２１は、インバータにより回転数が制御される図示しないモータによって駆動されることで、運転容量を可変できる能力可変型圧縮機である。圧縮機２１の冷媒吐出側には吐出配管４１の一端が接続されており、吐出配管４１の他端は室外機高圧ガス管４１ａと吐出分管４１ｂに分岐している。室外機高圧ガス管４１ａは後述する第２四方弁２２ｂのポートｅに接続されており、吐出分管４１ｂは後述する第１四方弁２２ａのポートａに接続されている。
【００１５】
また、圧縮機２１の冷媒吸入側には吸入配管４２の一端が接続されており、吸入配管４２の他端は室外機低圧ガス管４２ａと吸入分管４２ｂに分岐している。室外機低圧ガス管４２ａは後述する第２四方弁２２ｂのポートｇに接続されており、吸入分管４２ｂは後述する第１四方弁２２ａのポートｃに接続されている。
【００１６】
第１四方弁２２ａおよび第２四方弁２２ｂは、冷媒の流れる方向を切り換えるための弁であり、第１四方弁２２ａはａ、ｂ、ｃ、ｄの４つのポートを、第２四方弁２２ｂはｅ、ｆ、ｇ、ｈの４つのポートを、それぞれ備えている。第１四方弁２２ａでは、ポートａには、前述したように吐出分管４１ｂが接続されている。ポートｂは、室外熱交換器２３の一方の冷媒出入口と第１接続配管４３ａで接続されている。ポートｃには、前述したように吸入分管４２ｂが接続されている。そして、ポートｄはキャピラリチューブ２９ａを介して冷媒配管で吸入分管４２ｂに接続されている。
【００１７】
第２四方弁２２ｂでは、ポートｅには、前述したように室外機高圧ガス管４１ａが接続されている。ポートｆは、閉鎖弁２６と第２接続配管４３ｂで接続されている。ポートｇには、前述したように室外機低圧ガス管４２ａが接続されている。そして、ポートｈはキャピラリチューブ２９ｂを介して冷媒配管で室外機低圧ガス管４２ａに接続されている。なお、従来の３管式の空気調和装置の室外機にはない第２四方弁２２ｂを室外機２に設けたことが本発明の特徴である。
【００１８】
室外熱交換器２３は、冷媒と、後述する室外ファン２７の回転により室外機２の内部に取り込まれた外気を熱交換させるものである。室外熱交換器２３の一方の冷媒出入口は、前述したように第１四方弁２２ａのポートｂに第１接続配管４３ａで接続され、他方の冷媒出入口には室外機液管４４の一端が接続されている。尚、室外機液管４４の他端は閉鎖弁２５に接続されている。
【００１９】
室外膨張弁２４は室外機液管４４に設けられており、その開度が調整されることで、室外熱交換器２３に流入する冷媒量、あるいは、室外熱交換器２３から流出する冷媒量を調整する。
【００２０】
室外ファン２７は樹脂材で形成されており、室外熱交換器２３の近傍に配置されている。室外ファン２７は、図示しないファンモータによって回転することで図示しない吸込口から室外機２の内部へ外気を取り込み、室外熱交換器２３において冷媒と熱交換した外気を図示しない吹出口から室外機２の外部へ放出する。
【００２１】
以上説明した構成の他に、室外機２には各種のセンサが設けられている。吐出配管４１には、圧縮機２１から吐出される冷媒の圧力を検出する高圧センサ３１と、圧縮機２１から吐出される冷媒の温度を検出する吐出温度センサ３３が設けられている。吸入配管４２には、圧縮機２１に吸入される冷媒の圧力を検出する低圧センサ３２と、圧縮機２１に吸入される冷媒の温度を検出する吸入温度センサ３４が設けられている。
【００２２】
第１接続配管４３ａには、室外熱交換器２３に流入する、または、室外熱交換器２３から流出する冷媒の温度を検出する第１熱交温度センサ３５ａが設けられている。また、室外熱交換器２３には、室外熱交換器２３内の中間を流れる冷媒の温度を検出する第２熱交温度センサ３５ｂが設けられている。そして、室外機２の図示しない吸込口付近には、室外機２の内部に流入する外気の温度、すなわち外気温度を検出する外気温度センサ３６が備えられている。また、室外機液管４６ａにおける室外膨張弁２４ａと閉鎖弁８１ａとの間には、室外機液管４６ａを流れる冷媒の圧力を検出する中間圧センサ３８ａと、室外機液管４６ａを流れる冷媒の温度を検出する冷媒温度センサ３９ａが備えられている。
【００２３】
また、室外機２には、室外機制御手段２００が備えられている。室外機制御手段２００は、室外機２の図示しない電装品箱に格納されている制御基板に搭載されている。図１および図２の要部拡大図に示すように、室外機制御手段２００は、ＣＰＵ２１０と、記憶部２２０と、通信部２３０を備えている。
【００２４】
記憶部２２０は、ＲＯＭやＲＡＭで構成されており、室外機２の制御プログラムや各種センサからの検出信号に対応した検出値、圧縮機２１や室外ファン２７の制御状態等を記憶している。通信部２３０は、室内機５ａ〜５ｄとの通信を行うためのインターフェイスである。
【００２５】
ＣＰＵ２１０は、前述した室外機２の各センサでの検出結果を取り込む。また、ＣＰＵ２１０は、室内機５ａ〜５ｄから送信される制御信号を通信部２３０を介して取り込む。ＣＰＵ２１０は、取り込んだ検出結果や制御信号に基づいて、圧縮機２１や室外ファン２７の駆動制御を行う。また、ＣＰＵ２１０は、取り込んだ検出結果や制御信号に基づいて、第１四方弁２２ａや第２四方弁２２ｂの切り換え制御を行う。さらには、ＣＰＵ２１０は、取り込んだ検出結果や制御信号に基づいて、室外膨張弁２４の開度制御を行う。
【００２６】
次に、４台の室内機５ａ〜５ｄについて説明する。４台の室内機５ａ〜５ｄは、それぞれ室内熱交換器５１ａ〜５１ｄと、室内膨張弁５２ａ〜５２ｄと、分岐した液管８の他端が接続される液管接続部５３ａ〜５３ｄと、分岐したガス管９の他端が接続されるガス管接続部５４ａ〜５４ｄと、室内ファン５５ａ〜５５ｄを備えている。そして、室内ファン５５ａ〜５５ｄを除くこれら各装置が以下で詳述する各冷媒配管で相互に接続されて、冷媒回路１００の一部をなす室内機冷媒回路５０ａ〜５０ｄを構成している。
【００２７】
尚、室内機５ａ〜５ｄの構成は全て同じであるため、以下の説明では、室内機５ａの構成についてのみ説明を行い、その他の室内機５ｂ〜５ｄについては説明を省略する。また、図１および図２では、室内機５ａの構成装置に付与した番号の末尾をａからｂ、ｃおよびｄにそれぞれ変更したものが、室外機５ａの構成装置と対応する室内機５ｂ、５ｃおよび５ｄの構成装置となる。
【００２８】
室内熱交換器５１ａは、冷媒と後述する室内ファン５５ａの回転により図示しない吸込口から室内機５ａの内部に取り込まれた室内空気を熱交換させるものである。室内熱交換器５１ａの一方の冷媒出入口が液管接続部５３ａに室内機液管７１ａで接続され、他方の冷媒出入口がガス管接続部５４ａに室内機ガス管７２ａで接続されている。室内熱交換器５１ａは、室内機５ａが冷房運転を行う場合は蒸発器として機能し、室内機５ａが暖房運転を行う場合は凝縮器として機能する。
【００２９】
尚、液管接続部５３ａやガス管接続部５４ａには、各冷媒配管が溶接やフレアナット等により接続されている。
【００３０】
室内膨張弁５２ａは、室内機液管７１ａに設けられており、その開度を調整することによって室内熱交換器５１ａに流入する冷媒量、あるいは室内熱交換器５１ａから流出する冷媒量を調整する。室内膨張弁５２ａは、室内熱交換器５１ａが蒸発器として機能する場合は、その開度が要求される冷房能力に応じて調整され、室内熱交換器５１ａが凝縮器として機能する場合は、その開度が要求される暖房能力に応じて調整される。
【００３１】
室内ファン５５ａは樹脂材で形成されており、室内熱交換器５１ａの近傍に配置されている。室内ファン５５ａは、図示しないファンモータによって回転することで、図示しない吸込口から室内機５ａ内に室内空気を取り込み、室内熱交換器５１ａにおいて冷媒と熱交換した室内空気を図示しない吹出口から室内へ供給する。
【００３２】
以上説明した構成の他に、室内機５ａには各種のセンサが設けられている。室内機液管７１ａにおける室内熱交換器５１ａと室内膨張弁５２ａとの間には、室内熱交換器５１ａに流入あるいは室内熱交換器５１ａから流出する冷媒の温度を検出する液側温度センサ６１ａが設けられている。室内機ガス管７２ａには、室内熱交換器５１ａから流出あるいは室内熱交換器５１ａに流入する冷媒の温度を検出するガス側温度センサ６２ａが設けられている。そして、室内機５ａの図示しない吸込口付近には、室内機５ａ内に流入する室内空気の温度、すなわち室内温度を検出する室内温度センサ６３ａが備えられている。
【００３３】
なお、前述したように室外機２は、３管式の空気調和装置に使用されるものであり、元々の構成では、図１および図２に点線で示すように、高圧ガス管１０の一端が接続できる閉鎖弁２８と、後述する室外機高圧ガス管４１ａを閉鎖弁２８に接続するための高圧冷媒配管４１ｃを備えている。しかし、本実施例では、２管式に対応した室外機２とするため、閉鎖弁２８と高圧冷媒配管４１ｃを備えていない。但し、高圧冷媒配管４１ｃと閉鎖弁２８は残したままにしておいても良い。
【００３４】
次に、本実施形態における空気調和装置１の運転時の冷媒回路１００における冷媒の流れや各部の動作について、図１および図２を用いて説明する。本実施形態における空気調和装置１は、室内機５ａ〜５ｄが設置された室内の冷房を行う冷房運転と、室内機５ａ〜５ｄが設置された室内の暖房を行う暖房運転を行うことができる。
【００３５】
以下、冷房運転、暖房運転の順に、空気調和装置１の各運転時の動作について、適宜図１および図２を用いて説明する。尚、以下の説明では、図１および図２において、矢印は冷媒回路１００における冷媒の流れを示している。また、凝縮器として機能する熱交換器はハッチングを付し、蒸発器として機能する熱交換器は白抜きで図示している。
【００３６】
＜冷房運転＞
まず、冷房運転における空気調和装置１の動作について図１を用いて説明する。冷房運転を行うとき、室外機制御手段２００のＣＰＵ２１０は、第１四方弁２２ａを実線で示す状態、すなわち、ポートａとポートｂが連通するよう、また、ポートｃとポートｄが連通するよう、切り替える。これにより、室外熱交換器２３が凝縮器として機能するとともに、室内熱交換器５１ａ〜５１ｄが蒸発器として機能する。また、ＣＰＵ２１０は、第２四方弁２２ｂを実線で示す状態、すなわち、ポートｅとポートｈが連通するよう、また、ポートｆとポートｇが連通するよう、切り替える。
【００３７】
冷媒回路１００が上記の状態となっているとき、圧縮機２１で圧縮され吐出された高圧の冷媒は、吐出配管４１を流れて吐出分管４１ｂを介して第１四方弁２２ａに流入し、第１四方弁２２ａから第１接続配管４３ａを介して室外熱交換器２３に流入する。室外熱交換器２３に流入した冷媒は、室外ファン２７の回転により室外機２の内部に取り込まれた外気と熱交換を行って凝縮する。室外熱交換器２３から流出した高圧の冷媒は室外機液管４４を流れ、全開とされている室外膨張弁２４を通過した後、閉鎖弁２５を介して液管８に流入する。
【００３８】
液管８を流れて分流し液管接続部５３ａ〜５３ｄを介して各室内機５ａ〜５ｄに流入した高圧の冷媒は、室内機液管７１ａ〜７１ｄを流れ、室内膨張弁５２ａ〜５２ｄを通過するときに減圧されて低圧の冷媒となる。室内機液管７１ａ〜７１ｄから室内熱交換器５１ａ〜５１ｄに流入した低圧の冷媒は、室内ファン５５ａ〜５５ｄの回転により室内機５ａ〜５ｄの内部に取り込まれた室内空気と熱交換を行って蒸発する。このように、室内熱交換器５１ａ〜５１ｄが蒸発器として機能し、室内熱交換器５１ａ〜５１ｄで冷媒と熱交換を行った室内空気が図示しない吹出口から室内に吹き出されることによって、室内機５ａ〜５ｄが設置された室内の冷房が行われる。
【００３９】
室内熱交換器５１ａ〜５１ｄから流出した低圧の冷媒は、室内機ガス管７２ａ〜７２ｄを流れガス管接続部５４ａ〜５４ｄを介してガス管９に流入する。ガス管９を流れ閉鎖弁２６を介して室外機２に流入した低圧の冷媒は、第２接続配管４３ｂを介して第２四方弁２２ｂに流入し、第２四方弁２２ｂから室外機低圧ガス管４２ａを介して吸入配管４２に流入し、圧縮機２１に吸入されて再び圧縮される。
【００４０】
以上説明したように冷媒回路１００を冷媒が循環することで、空気調和装置１の冷房運転が行われる。このとき、第１四方弁２２ａには圧縮機２１から吐出された高圧の冷媒のみが流れ、第２四方弁２２ｂには圧縮機２１に吸入される低圧の冷媒のみが流れる。
【００４１】
＜暖房運転＞
次に、暖房運転における空気調和装置１の動作について図２を用いて説明する。暖房運転を行うとき、ＣＰＵ２１０は、第１四方弁２２ａを実線で示す状態、すなわち、第１四方弁２２ａのポートａとポートｄが連通するよう、また、ポートｂとポートｃが連通するよう、切り替える。これにより、室外熱交換器２３が蒸発器として機能するとともに、室内熱交換器５１ａ〜５１ｄが凝縮器として機能する。また、ＣＰＵ２１０は、第２四方弁２２ｂが実線で示す状態、すなわち、第２四方弁２２ｂのポートｅとポートｆが連通するよう、また、ポートｇとポートｈが連通するよう、切り替える。
【００４２】
冷媒回路１００が上記の状態となっているとき、圧縮機２１で圧縮され吐出された高圧の冷媒は、吐出配管４１を流れて室外機高圧ガス管４１ａと吐出分管４１ｂに分流する。室外機高圧ガス管４１ａを流れる高圧の冷媒は、第２四方弁２２ｂに流入し、第２四方弁２２ｂから第２接続配管４３ｂに流入する。
【００４３】
第２接続配管４３ｂに流入した高圧の冷媒は、閉鎖弁２６を介してガス管９を流れて分流し、ガス管接続部５４ａ〜５４ｄを介して各室内機５ａ〜５ｄに流入する。各室内機５ａ〜５ｄに流入した冷媒は、室内機ガス管７２ａ〜７２ｄを流れて室内熱交換器５１ａ〜５１ｄに流入し、室内ファン５５ａ〜５５ｄの回転により室内機５ａ〜５ｄの内部に取り込まれた室内空気と熱交換を行って凝縮する。このように、室内熱交換器５１ａ〜５１ｄが凝縮器として機能し、室内熱交換器５１ａ〜５１ｄで冷媒と熱交換を行った室内空気が図示しない吹出口から室内に吹き出されることによって、室内機５ａ〜５ｄが設置された室内の暖房が行われる。
【００４４】
室内熱交換器５１ａ〜５１ｄから流出した高圧の冷媒は室内機液管７１ａ〜７１ｄを流れ、室内膨張弁５２ａ〜５２ｄを通過して減圧される。減圧された冷媒は、液管接続部５３ａ〜５３ｄを介して液管８に流入する。液管８を流れ閉鎖弁２５を介して室外機２に流入した冷媒は、室外機液管４４に流入する。
【００４５】
室外機液管４４に流入した冷媒は、室外膨張弁２４を通過するときに更に減圧され低圧の冷媒となる。室外機液管４４から室外熱交換器２３に流入した冷媒は、室外ファン２７の回転により室外機２の内部に取り込まれた外気と熱交換を行って蒸発する。室外熱交換器２３から流出した低圧の冷媒は、第１接続配管４３ａ、第１四方弁２２ａ、吸入分管４２ｂの順に流れて、吸入配管４２に流入する。そして、吸入配管４２に流入した低圧の冷媒は、圧縮機２１に吸入されて再び圧縮される。
【００４６】
以上説明したように冷媒回路１００を冷媒が循環することで、空気調和装置１の暖房運転が行われる。このとき、第２四方弁２２ｂには圧縮機２１から吐出された高圧の冷媒のみが流れ、第１四方弁２２ａには圧縮機２１に吸入される低圧の冷媒のみが流れる。
【００４７】
以上のように、３管式の空気調和装置の室外機に第２四方弁２２ｂを追加し、この第２四方弁２２ｂに室外機高圧ガス管４１ａと室外機低圧ガス管４２ａと第２接続配管４３ｂを接続し、第２四方弁２２ｂの切り替えにより室外機高圧ガス管４１ａと第２接続配管４３ｂを、あるいは、室外機低圧ガス管４２ａと第２接続配管４３ｂを選択的に接続することで、２管式の空気調和装置の室外機として使用することができる。これにより、３管式の空気調和装置の室外機と２管式の空気調和装置の室外機を共通化し、２管式の空気調和装置の室外機の代わりに３管式の空気調和装置の室外機を使用することが出来る。例えば、既設の２管式の空気調和装置の室外機を３管式の空気調和装置の室外機に置き換えることができる。また、２管式の空気調和装置の室外機を開発する際に発生する開発費用および開発工数を無くすことが出来る。
【００４８】
また、冷房運転時では、第１四方弁２２ａには高圧の冷媒のみが流れると共に、第２四方弁２２ｂには低圧の冷媒のみが流れ、暖房運転時では、第１四方弁２２ａには低圧の冷媒のみが流れると共に、第２四方弁２２ｂには高圧の冷媒のみが流れる。よって、第１四方弁２２ａや第２四方弁２２ｂで高圧の冷媒と低圧の冷媒が熱交換されることがないので、各四方弁２２ａ、２２ｂでの不要な冷媒間の熱交換を防止できる。
【符号の説明】
【００４９】
１  空気調和装置
２  室外機
５ａ〜５ｄ  室内機
８  液管
９  ガス管
２０  室外機冷媒回路
２１  圧縮機
２２ａ  第１四方弁
２２ｂ  第２四方弁
２３  室外熱交換器
４１  吐出配管
４１ａ  室外機高圧ガス管
４１ｂ  吐出分管
４２  吸入配管
４２ａ  室外機低圧ガス管
４２ｂ  吸入分管
４４  室外機液管
５１ａ〜５１ｄ  室内熱交換器
１００  冷媒回路
２００  室外機制御部
【図１】
2016056992.tif 000003
【図２】
2016056992.tif 000004